(57)【特許請求の範囲】
【請求項１】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
前記記憶手段には、血中ケトン体濃度に作用を及ぼす複数の疾病の分類と、各々の疾病毎に作成された複数の前記第１関連データとが記憶されており、
前記複数の疾病の分類から該当する疾病を設定する設定手段を備え、
前記特定手段は、前記複数の第１関連データのうちの前記設定手段で設定した疾病に対応する前記第１関連データを参照し、前記測定手段で求めた呼気中アセトン濃度に対応する血中ケトン体濃度を特定する
ことを特徴とする血中ケトン体濃度測定装置。
【請求項２】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
前記記憶手段には、被測定者の行動を規定する行動規定時間と投薬情報との間の相関関係を示す第２関連データがさらに記憶されており、
前記設定手段は、該当する投薬情報を設定し、
前記特定手段は、前記第２関連データを参照して、前記設定手段で設定した投薬情報に対応する前記行動規定時間を特定し、
前記特定手段によって特定された前記行動規定時間を計数するタイマーと、
前記特定手段で特定された前記行動規定時間と前記タイマーで計数した計数量とを比較する比較手段と、
前記タイマーで計数した計数量が前記行動規定時間となる時を報知する出力手段と、を備える
ことを特徴とする血中ケトン体濃度測定装置。
【請求項３】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
前記記憶手段には、呼気中アセトン濃度と被測定者の行動を規定する行動規定時間と投薬情報との間の相関関係を示す第３関連データがさらに記憶されており、
前記特定手段は、前記第３関連データを参照して、前記測定手段で求めた呼気中アセトン濃度と前記設定手段で設定した投薬情報とに対応する前記行動規定時間を特定する
ことを特徴とする血中ケトン体濃度測定装置。
【請求項４】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
飲食した際の摂取カロリーと前記測定手段で呼気中アセトン濃度を求めた時の飲食時からの経過時間と血中ケトン体濃度を予測する前記経過時間後の予測時間とを設定する設定手段を備え、
前記記憶手段には、予測時間において予測される血中ケトン体濃度と前記第１関連データを参照して特定される血中ケトン体濃度と飲食した際の摂取カロリーと前記経過時間と経過時間後の予測時間との間の相関関係を示す第４関連データがさらに記憶されており、
前記特定手段は、前記測定手段で求めた前記経過時間における呼気中アセトン濃度に対応する血中ケトン体濃度を特定し、この特定した血中ケトン体濃度を基に、前記第４関連データを参照して前記設定手段で設定した予測時間に予測される血中ケトン体濃度を特定する
ことを特徴とする血中ケトン体濃度測定装置。
【請求項５】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
飲食物の種類および量と前記測定手段で呼気中アセトン濃度を求めた時の飲食時からの経過時間と血中ケトン体濃度を予測する前記経過時間後の予測時間とを設定する設定手段を備え、
前記記憶手段には、飲食物の種類および量と摂取カロリーとの間の相関関係を示す第５関連データと、予測時間において予測される血中ケトン体濃度と前記第１関連データを参照して特定される血中ケトン体濃度と前記第５関連データを参照して特定される摂取カロリーと前記経過時間と経過時間後の予測時間との間の相関関係を示す第６関連データがさらに記憶されており、
前記特定手段は、前記測定手段で求めた前記経過時間における呼気中アセトン濃度に対応する血中ケトン体濃度を特定し、前記第５関連データを参照して前記設定手段で設定した飲食物の種類および量に対応する摂取カロリーを特定し、これらの特定した血中ケトン体濃度および摂取カロリーを基に、前記第６関連データを参照して前記設定手段で設定した予測時間に予測される血中ケトン体濃度を特定する
ことを特徴とする血中ケトン体濃度測定装置。
【請求項６】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
飲食した際の摂取カロリーと前記測定手段で呼気中アセトン濃度を求めた時の飲食時からの経過時間とを設定する設定手段を備え、
前記記憶手段には、前記第１関連データを参照して特定される血中ケトン体濃度が測定前に飲食していたことによって補正されるべき補正血中ケトン体濃度と飲食した際の摂取カロリーと前記経過時間と経過時間後の予測時間との間の相関関係を示す第７関連データがさらに記憶されており、
前記特定手段は、前記測定手段で求めた前記経過時間における呼気中アセトン濃度に対応する血中ケトン体濃度を特定し、この特定した血中ケトン体濃度を基に、前記第７関連データを参照して補正血中ケトン体濃度を特定する
ことを特徴とする血中ケトン体濃度測定装置。
【請求項７】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
飲食物の種類および量と前記測定手段で呼気中アセトン濃度を求めた時の飲食時からの経過時間とを設定する設定手段を備え、
前記記憶手段には、飲食物の種類および量と摂取カロリーとの間の相関関係を示す第５関連データと、前記第１関連データを参照して特定される血中ケトン体濃度が測定前に飲食していたことによって補正されるべき補正血中ケトン体濃度と前記第５関連データを参照して特定される摂取カロリーと前記経過時間との間の相関関係を示す第８関連データがさらに記憶されており、
前記特定手段は、前記測定手段で求めた前記経過時間における呼気中アセトン濃度に対応する血中ケトン体濃度を特定し、前記第５関連データを参照して前記設定手段で設定した飲食物の種類および量に対応する摂取カロリーを特定し、これらの特定した血中ケトン体濃度および摂取カロリーを基に、前記第８関連データを参照して補正血中ケトン体濃度を特定する
ことを特徴とする血中ケトン体濃度測定装置。
【請求項８】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
前記測定手段は、筐体と、この筐体内部に呼気中アセトンだけに反応性が高い半導体ガスセンサーと、前記筐体の外部に形成された呼気入口部と前記筐体の内部に形成された呼気出口部とを有する管と、を備え、前記呼気出口部は前記半導体ガスセンサーの近傍に設けられている
ことを特徴とする血中ケトン体濃度測定装置。
【請求項９】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
電池により駆動されることを特徴とする血中ケトン体濃度測定装置。
【請求項１０】
呼気からアセトンを検出して呼気中アセトン濃度を求める測定手段と、
呼気中アセトン濃度と血中ケトン体濃度との相関関係を示す第１関連データを記憶する記憶手段と、
前記第１関連データを参照し、前記測定手段で求めた呼気中アセトン濃度に対応する血中ケトン体濃度を特定する特定手段と、
前記特定手段で特定した血中ケトン体濃度を出力する出力手段と、
を備え、
前記投薬情報は、疾病の分類、薬の服用の有無、薬の種類、薬の用量、薬の効き目の速さの少なくとも１つに関連する情報を有すること
ことを特徴とする血中ケトン体濃度測定装置。
【請求項１１】
前記行動規定時間は、測定予定時間または投薬予定時間の少なくとも１つに関連する時間を有する
ことを特徴とする請求項２に記載の血中ケトン体濃度測定装置。
【発明の詳細な説明】
【０００１】
【従来の技術】
血中ケトン体濃度が糖尿病の診断やダイエット状況の監視の指標となることが本発明者により調査されている。これまで、この血中ケトン体濃度を求めるにあたっては、被測定者の血液を採取して、この採取された血液を液体クロマトグラフ装置により分析することで行っていた。また、血中ケトン体濃度と相関性の高い呼気中アセトン濃度をガスクロマトグラフ装置により分析して、この分析された呼気中アセトン濃度に対応する血中ケトン体濃度を推定することで行っていた。
【０００２】
【発明が解決しようとする課題】
しかしながら、液体クロマトグラフ装置による分析では、血中ケトン体濃度を知ろうとする度に、被測定者の血液を採取しなければならず、被測定者の身体に負担をかけるものであった。
【０００３】
また、ガスクロマトグラフ装置により分析された呼気中アセトン濃度から血中ケトン体濃度を推定する方法では、呼気中アセトン濃度から血中ケトン体濃度に変換する煩わしさがあった。
【０００４】
更に、液体クロマトグラフ装置やガスクロマトグラフ装置による分析では、現状の血中ケトン体濃度を知るにとどまり、被測定者に対してその後の有益な健康情報について知らせるものではなかった。また、液体クロマトグラフ装置やガスクロマトグラフ装置は共に比較的大きな装置であり、利便性に欠けていた。
【０００５】
そこで、本発明の目的は、上記従来技術の有する問題を解消し、手軽に血中ケトン体濃度を求めることができ、被測定者に有益な健康情報を供給可能な血中ケトン体濃度測定装置を提供することにある。
【０００６】
【課題を解決するための手段】
上記目的を達成するために、本発明の血中ケトン濃度測定装置は、呼気からアセトンを検出して呼気中アセトン濃度を求める測定手段と、呼気中アセトン濃度と血中ケトン体濃度との相関関係を示す第１関連データを記憶する記憶手段と、前記第１関連データを参照し、前記測定手段で求めた呼気中アセトン濃度に対応する血中ケトン体濃度を特定する特定手段と、前記特定手段で特定した血中ケトン体濃度を出力する出力手段と、を備えたことを特徴とする。
【０００７】
本発明によれば、予め作成した第１関連データを参照して測定手段で求めた呼気中アセトン濃度に対応する血中ケトン体濃度を特定することができる。
【０００８】
また、前記記憶手段には、血中ケトン体濃度に作用を及ぼす複数の疾病の分類と、各々の疾病毎に作成された複数の前記第１関連データとが記憶されており、前記複数の疾病の分類から該当する疾病を設定する設定手段を備え、前記特定手段は、前記複数の第１関連データのうちの前記設定手段で設定した疾病に対応する前記第１関連データを参照し、前記測定手段で求めた呼気中アセトン濃度に対応する血中ケトン体濃度を特定することを特徴とする。
【０００９】
本発明によれば、該当する疾病に応じて作成された高い相関性を有する第１関連データを参照して、アセトン測定手段で求めた呼気中アセトン濃度に対応する血中ケトン体濃度を特定することができる。
【００１０】
また、前記記憶手段には、被測定者の行動を規定する行動規定時間と投薬情報との間の相関関係を示す第２関連データがさらに記憶されており、前記設定手段は、該当する投薬情報を設定し、前記特定手段は、前記第２関連データを参照して、前記設定手段で設定した投薬情報に対応する前記行動規定時間を特定し、前記特定手段によって特定された前記行動規定時間を計数するタイマーと、前記特定手段で特定された前記行動規定時間と前記タイマーで計数した計数量とを比較する比較手段と、前記タイマーで計数した計数量が前記行動規定時間となる時を報知する出力手段と、を備えることを特徴とする。
【００１１】
本発明によれば、疾病の分類、薬の服用の有無、薬の種類、薬の用量、薬の効き目の速さ等の投薬情報に関して該当する内容を特定することにより、測定予定時間または投薬予定時間等の行動規定時間を確実に知ることができる。
【００１２】
また、前記記憶手段には、呼気中アセトン濃度と被測定者の薬に関する行動を規定する行動規定時間と投薬情報との間の相関関係を示す第３関連データがさらに記憶されており、前記特定手段は、前記第３関連データを参照して、前記測定手段で求めた呼気中アセトン濃度と前記設定手段で設定した投薬情報とに対応する前記行動規定時間を特定することを特徴とする。
【００１３】
本発明によれば、測定手段で求めた呼気中アセトン濃度の情報をも考慮して投薬情報に対応する行動規定時間を特定することができる。
【００１４】
また、飲食した際の摂取カロリーと前記測定手段で呼気中アセトン濃度を求めた時の飲食時からの経過時間と血中ケトン体濃度を予測する前記経過時間後の予測時間とを設定する設定手段を備え、前記記憶手段には、予測時間において予測される血中ケトン体濃度と前記第１関連データを参照して特定される血中ケトン体濃度と飲食した際の摂取カロリーと前記経過時間と経過時間後の予測時間との間の相関関係を示す第４関連データがさらに記憶されており、前記特定手段は、前記測定手段で求めた前記経過時間における呼気中アセトン濃度に対応する血中ケトン体濃度を特定し、この特定した血中ケトン体濃度を基に、前記第４関連データを参照して前記設定手段で設定した予測時間に予測される血中ケトン体濃度を特定することを特徴とする。
【００１５】
本発明によれば、飲食時からある経過時間後に測定手段で呼気中アセトン濃度を測定した場合に、測定時後の所望の予測時間における血中ケトン体濃度を特定して求めることができ、飲食の及ぼす影響を考慮した所望の予測時間における血中ケトン体濃度を予測することができる。
【００１６】
また、飲食物の種類および量と前記測定手段で呼気中アセトン濃度を求めた時の飲食時からの経過時間と血中ケトン体濃度を予測する前記経過時間後の予測時間とを設定する設定手段を備え、前記記憶手段には、飲食物の種類および量と摂取カロリーとの間の相関関係を示す第５関連データと、予測時間において予測される血中ケトン体濃度と前記第１関連データを参照して特定される血中ケトン体濃度と前記第５関連データを参照して特定される摂取カロリーと前記経過時間と経過時間後の予測時間との間の相関関係を示す第６関連データがさらに記憶されており、前記特定手段は、前記測定手段で求めた前記経過時間における呼気中アセトン濃度に対応する血中ケトン体濃度を特定し、前記第５関連データを参照して前記設定手段で設定した飲食物の種類および量に対応する摂取カロリーを特定し、これらの特定した血中ケトン体濃度および摂取カロリーを基に、前記第６関連データを参照して前記設定手段で設定した予測時間に予測される血中ケトン体濃度を特定することを特徴とする。
【００１７】
本発明によれば、飲食した際の摂取カロリーを直接的に知らなくとも設定手段で設定した飲食物の種類および量から第５関連データを参照して摂取カロリーを求めることができ、飲食の及ぼす影響を考慮した所望の予測時間における血中ケトン体濃度を予測することができる。
【００１８】
また、飲食した際の摂取カロリーと前記測定手段で呼気中アセトン濃度を求めた時の飲食時からの経過時間とを設定する設定手段を備え、前記記憶手段には、前記第１関連データを参照して特定される血中ケトン体濃度が測定前に飲食していたことによって補正されるべき補正血中ケトン体濃度と飲食した際の摂取カロリーと前記経過時間と経過時間後の予測時間との間の相関関係を示す第７関連データがさらに記憶されており、前記特定手段は、前記測定手段で求めた前記経過時間における呼気中アセトン濃度に対応する血中ケトン体濃度を特定し、この特定した血中ケトン体濃度を基に、前記第７関連データを参照して補正血中ケトン体濃度を特定することを特徴とする。
【００１９】
本発明によれば、飲食時からある経過時間後に測定手段で呼気中アセトン濃度を測定した場合に、飲食の及ぼす影響を考慮して補正されるべき血中ケトン体濃度を求めるができる。
【００２０】
また、飲食物の種類および量と前記測定手段で呼気中アセトン濃度を求めた時の飲食時からの経過時間とを設定する設定手段を備え、前記記憶手段には、飲食物の種類および量と摂取カロリーとの間の相関関係を示す第５関連データと、前記第１関連データを参照して特定される血中ケトン体濃度が測定前に飲食していたことによって補正されるべき補正血中ケトン体濃度と前記第５関連データを参照して特定される摂取カロリーと前記経過時間との間の相関関係を示す第８関連データがさらに記憶されており、前記特定手段は、前記測定手段で求めた前記経過時間における呼気中アセトン濃度に対応する血中ケトン体濃度を特定し、前記第５関連データを参照して前記設定手段で設定した飲食物の種類および量に対応する摂取カロリーを特定し、これらの特定した血中ケトン体濃度および摂取カロリーを基に、前記第８関連データを参照して補正血中ケトン体濃度を特定することを特徴とする。
【００２１】
本発明によれば、飲食した際の摂取カロリーを直接的に知らなくとも設定手段で設定した飲食物の種類および量から第５関連データを参照して摂取カロリーを求めることができ、飲食の及ぼす影響を考慮して補正されるべき血中ケトン体濃度を求めるができる。
【００２２】
また、前記測定手段は、筐体と、この筐体内部に呼気中アセトンだけに反応性が高い半導体ガスセンサーと、前記筐体の外部に形成された呼気入口部と前記筐体の内部に形成された呼気出口部とを有する管と、を備え、前記呼気出口部は前記半導体ガスセンサーの近傍に設けられていることを特徴とする。
【００２３】
本発明によれば、呼気を半導体ガスセンサーに確実に導くことができ、装置を簡易に構成することができる。
【００２４】
また、電池により駆動されることを特徴とする。本発明によれば、装置の移動を自由にでき測定する場所を自由に設定することができる。
【００２５】
また、前記投薬情報は、疾病の分類、薬の服用の有無、薬の種類、薬の用量、薬の効き目の速さの少なくとも１つに関連する情報を有することことを特徴とする。
【００２６】
また、前記行動規定時間は、測定予定時間または投薬予定時間の少なくとも１つに関連する時間を有することを特徴とする。
【００２７】
【発明の実施の形態】
以下に図面を参照して本発明の実施の形態について説明する。
図１乃至図４を参照して血中ケトン体濃度測定装置の第１の実施の形態について説明する。図１に血中ケトン体濃度測定装置の外観図を示し、図２はそのブロック図である。
【００２８】
血中ケトン体濃度測定装置は、筐体１と、呼気からアセトンだけに反応性を高く検出可能な半導体ガスセンサー２と、増幅回路３と、Ａ／Ｄ変換回路４と、このＡ／Ｄ変換回路４からの信号を呼気中アセトン濃度として演算する演算手段５と、呼気中アセトン濃度と血中ケトン体濃度との相関式を予め記憶する記憶手段６と、この記憶手段６に記憶する呼気中アセトン濃度と血中ケトン体濃度との第１関連データとしての相関式（Ｙ＝ｆ（Ｘ）、Ｙ：血中ケトン体濃度、Ｘ：呼気中アセトン濃度で表される。）に演算手段５で演算した呼気中アセトン濃度を当てはめ演算することにより血中ケトン体濃度を特定する特定手段７と、電池による電源８と、筐体１の外部に特定手段７で求めた血中ケトン体濃度を出力する出力手段９と、電源スイッチ１０とを備えている。ここで、半導体ガスセンサー２と、増幅回路３と、Ａ／Ｄ変換回路４と、演算手段５とにより測定手段１１が構成される。また、演算手段５と特定手段７とはＣＰＵ１２の処理手段として構成される。更に、出力手段９には血中ケトン体濃度を表示する表示器９ａが設けられている。測定手段１１、記憶手段６、特定手段７及び電源８は筐体１の内部に配設されている。また、筐体１には外部から内部に貫通する呼気吹付部１３が設けられ、筐体１の内部の呼気吹付部１３の近傍には半導体ガスセンサー２が配設されている。
【００２９】
次に、血中ケトン体濃度測定装置を用いた測定手順について説明する。
【００３０】
図３に測定手順および動作を表すフローチャートを示す。
ステップＳ１において、図１の装置の電源スイッチ１０を入力することにより電源８が投入され、表示器９ａに０が表示される。
【００３１】
ステップＳ２において、まず、被測定者は呼気吹付部１３に息を吹き付ける。呼気は筐体１内部に入り込み、筐体１内部に配設される半導体ガスセンサー２により、呼気中のアセトンが検出される。半導体センサー２は、呼気成分中のアセトンだけに高く反応するものであり、検出信号をアナログ信号として出力する。出力されたアナログ信号は増幅回路３で増幅され、Ａ／Ｄ変換回路４でデジタル信号に変換される。変換されたデジタル信号は、ＣＰＵ１２内の演算手段５で呼気中アセトン濃度として数値化される。
【００３２】
ステップＳ３において、ＣＰＵ１２内の特定手段７では、記憶手段６により予め記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で数値化された呼気中アセトン濃度を当てはめ、血中ケトン体濃度を演算する。
【００３３】
ステップＳ４において、演算された血中ケトン体濃度は、図１のように表示器９ａに表示される。また、血中ケトン体濃度とともに、呼気中アセトン濃度を表示するものであってもよい。
【００３４】
なお、上述において、記憶手段６に記憶する呼気中アセトン濃度と血中ケトン体濃度との関係は、相関式でなくとも関連づけられたデータであれば実施可能である。例えば、図４のような呼気中アセトン濃度と血中ケトン体濃度との対応表であってもよい。この場合には、特定手段７は、測定手段１１で求められた呼気中アセトン濃度に対応する血中ケトン体濃度を選び出すことにより実施できる。
【００３５】
以上、本実施の形態によれば、予め作成した第１関連データを参照して測定手段１１で求めた呼気中アセトン濃度に対応する血中ケトン体濃度を手軽に特定することができる。
【００３６】
次に、血中ケトン体濃度測定装置の第２の実施の形態について説明する。図５に血中ケトン体濃度測定装置の外観図を示し、図６はそのブロック図である。
【００３７】
本実施の形態は、第１の実施の形態における構成に、タイマー１５と、設定手段１６と、比較手段１７と、出力手段９におけるブザー９ｂを加えて構成されている。
【００３８】
以下、第１の実施の形態と異なる部分について説明する。
【００３９】
血中ケトン体濃度測定装置は、外観上は、呼気検出部２１と装置本体部２２と両者をつなぐリード線２３とを備えている。呼気検出部２１には測定手段１１の半導体ガスセンサー２が配設され、装置本体部２２にはその他の構成部分が配設されている。タイマー１５は、指定される基準時間からの経過時間を計数し所定の時刻を報知する。
【００４０】
設定手段１６は設定スイッチ１８を有し、設定スイッチ１８は設定スイッチ１８Ａ、Ｂからなる。設定手段１６によって、疾病の分類（本実施形態においては、例えば糖尿病のＩ型またはＩＩ型とする。）、薬の服用の有無、薬の種類、薬の用量および薬の効き目の速さ等の投薬情報が設定される。
【００４１】
記憶手段６には、次のデータが予め記憶されている。
【００４２】
▲１▼疾病の分類ごとにつくられた２つの呼気中アセトン濃度と血中ケトン体濃度との相関式（第１関連データ）が記憶される。この相関式は、図７に示すように、Ｙ１＝ｆ１（Ｘ）、Ｙ２＝ｆ２（Ｘ）、Ｙ１：Ｉ型の場合の血中ケトン体濃度、Ｙ２：ＩＩ型の場合の血中ケトン体濃度、Ｘ：呼気中アセトン濃度で表される。
【００４３】
▲２▼投薬予定時間（行動規定時間）と投薬情報（疾病の分類、薬の服用の有無、薬の種類、薬の用量および薬の効き目の速さ）との関連データ（第２関連データ）が記憶される。図８に抜粋した関連データを示す。
【００４４】
▲３▼呼気中アセトン濃度と、投薬予定時間（行動規定時間）と、投薬情報（疾病の分類、薬の服用の有無、薬の種類、薬の用量および薬の効き目の速さ）との関連データ（第３関連データ）が記憶される。図９に抜粋した関連データを示す。
【００４５】
特定手段７は、次のような処理をすることにより各種の特定を行う。
【００４６】
▲１▼設定手段１６で設定した疾病の分類情報をもとに、すなわち該当する糖尿病がＩ型からＩＩ型のいずれであるかに関する情報をもとに、記憶手段６に予め記憶する疾病（糖尿病）の分類ごとにつくられた２つの呼気中アセトン濃度と血中ケトン体濃度との相関式から対応する呼気中アセトン濃度と血中ケトン体濃度との相関式を選択する。そして、これに測定手段１１で求められた呼気中アセトン濃度を当てはめて演算することで血中ケトン体濃度を特定する。
【００４７】
▲２▼設定手段１６で設定された投薬情報（疾病の分類、薬の服用の有無、薬の種類、薬の用量および薬の効き目の速さ）をもとに、記憶手段６に予め記憶する図８に示す投薬予定時間と投薬情報との関連データから投薬予定時間を特定する。
【００４８】
▲３▼測定手段１１で求められた呼気中アセトン濃度と、設定手段１６で設定された投薬情報とをもとに、記憶手段６に予め記憶する図９に示す呼気中アセトン濃度と投薬予定時間と投薬情報との関連データから投薬予定時間を特定する。
【００４９】
比較手段１７は、特定手段７で特定された投薬予定時間をタイマー１５で発生させた時間が経過したか否かを比較する。出力手段９は、表示器９ａおよびブザー９ｂからなり、表示器９ａには、特定手段７で特定された血中ケトン体濃度と投薬予定時間とが表示される。また、ブザー９ｂには、比較手段１７で比較された結果、投薬予定時間をタイマーで発生した時間が経過した時にブザー音が鳴らされる。
【００５０】
次に、本実施の形態における測定手順と動作例について説明する。
【００５１】
図１０に測定手順および動作例を表すフローチャートを示す。
【００５２】
ステップＳ１１において、図５の装置の電源スイッチ１０を入力することにより電源８が投入され、表示器９ａの上段に０表示され、下段に設定項目（疾病の分類、薬の服用の有無、薬の種類、薬の用量および薬の効き目の速さ）が表示される。
【００５３】
ステップＳ１２において、被測定者は、表示器９ａ下段に表示される設定項目（疾病の分類、薬の服用の有無、薬の種類、薬の用量および薬の効き目の速さ）に従って、設定スイッチ１８Ａ、１８Ｂから該当する内容を入力することにより設定する。例えば、表示器９ａ下段には、まず、図１１（ａ）のように、疾病（糖尿病）の分類がＩ型かＩＩ型であるかの選択画面が表示されるので、設定スイッチ１８Ａを押すことによりカーソルをＩ型、ＩＩ型のいずれかに合わせて選択し、設定スイッチ１８Ｂを押すことにより確定する。以下確定される毎に、設定項目が図１１（ｂ）（ｃ）（ｄ）（ｅ）と切り替わるので、同様に該当する内容を選択し確定する。
【００５４】
ステップＳ１３において、ＣＰＵ１２内の特定手段７では、記憶手段６に予め記憶する図８に示す投薬予定時間と投薬情報との関連データを参照し、設定スイッチ１８により設定された疾病（糖尿病）の分類、薬の服用の有無、薬の種類、薬の用量および薬の効き目の速さに対応する投薬予定時間を特定する。例えば、疾病（糖尿病）の分類がＩ型、薬の服用が有り、薬の種類がＡ、薬の用量が１錠（３００ｍｇ）、薬の効き目の速さが３０分に設定された場合には、投薬予定時間は３時間（ｈ）後であると特定される。これによって、被測定者は、疾病（糖尿病）の分類等の情報の設定後の最初の投薬予定時間を知らせてもらうことができる。
【００５５】
次に、ステップＳ１４において、投薬予定時間が特定されるとタイマー１５が作動する。
【００５６】
ステップＳ１５において、タイマー１５で発生した時間が投薬予定時間に達したかが比較手段１７で比較される。
【００５７】
ステップＳ１６において、投薬予定時間にタイマー１５で発生した時間が経過するとブザー９ｂによりブザー音を鳴らし、被測定者に現在が投薬予定時間であることを報知する。このようにして、被測定者は、投薬予定時間（有益な情報）を知ることができる。ここで、被測定者は、投薬行為を行う。
【００５８】
続いてステップＳ１７において、投薬行為を行ったことを前提にした呼気中のアセトンを検出する。被測定者は呼気吹付部１３に息を吹き付ける。呼気は筐体１内部に入り込み、装置内部に配設される半導体ガスセンサー２により、呼気中のアセトンが検出される。半導体センサー２は、呼気成分中のアセトンだけに高く反応するもので、アナログ信号として出力する。出力されたアナログ信号は増幅回路３で増幅され、Ａ／Ｄ変換回路４でデジタル信号に変換される。変換されたデジタル信号は、ＣＰＵ１２内の演算手段５でアセトン濃度として数値化される。
【００５９】
ステップＳ１８において、ＣＰＵ１２内の特定手段７では、記憶手段６に記憶された疾病（糖尿病）の分類ごとにつくられた図７に示す２つの呼気中アセトン濃度と血中ケトン体濃度との相関式から設定手段で設定された疾病（糖尿病）の分類に対応する呼気中アセトン濃度と血中ケトン体濃度との相関式を選択し、これに演算手段５で数値化された呼気中アセトン濃度を当てはめ、血中ケトン体濃度を演算して特定する。また、記憶手段６に予め記憶する図９に示す呼気中アセトン濃度と投薬予定時間と投薬情報との関連データを参照し、演算手段５で数値化された呼気中アセトン濃度と、設定スイッチ１８で設定された投薬情報とに対応する投薬予定時間を特定する。例えば、演算手段５で数値化された呼気中アセトン濃度が９．０ｐｐｍであり、設定手段１６により糖尿病の分類がＩ型、薬の服用が有り、薬の種類がＡ、薬の用量が１錠（３００ｍｇ）、薬の効き目の速さが３０分で設定された場合には、次の投薬予定時間は４時間（ｈ）後であると特定する。
【００６０】
ステップＳ１９において、特定手段７で特定された血中ケトン体濃度と投薬予定時間は、図５のように表示器９ａの上段と下段に表示される。以後、ステップＳ１４以降の繰り返しとなる。
【００６１】
なお、この実施の形態では、行動規定時間として投薬予定時間を報知するものとしたが、測定予定時間であってもよい。被測定者が有益となる行動をとるための時間であればよい。
【００６２】
以上、本実施の形態によれば、疾病の分類、薬の服用の有無、薬の種類、薬の用量、薬の効き目の速さ等の投薬情報に関して該当する内容を特定することにより、投薬予定時間等の行動規定時間を確実に知ることができる。また、測定手段１１で求めた呼気中アセトン濃度の情報をも考慮して投薬情報に対応する投薬予定時間等の行動規定時間を特定することができる。
【００６３】
次に、血中ケトン体濃度測定装置の第３の実施の形態について説明する。図１２に血中ケトン体濃度測定装置の外観図を示し、図１３はそのブロック図である。
【００６４】
本実施の形態は、第１の実施の形態における構成に、設定手段１６を加えて構成されている。
【００６５】
以下、第１の実施の形態と異なる部分について説明する。
【００６６】
外観上は、呼気検出部２１と装置本体部２２とをリード線２３により接続して構成されている。呼気検出部２１には測定手段１１の半導体ガスセンサー２が配設され、装置本体部２２にはその他の構成部分が配設されている。
【００６７】
設定手段１６は、設定スイッチ（テンキー）１８からなり、飲食した際の摂取カロリーと飲食後の経過時間と経過時間後の血中ケトン体濃度を予測する時間とが設定される。
【００６８】
測定手段１１は、設定手段１６で飲食後の経過時間を設定の際の呼気中アセトン濃度を求める。
【００６９】
記憶手段６は、次のデータを予め記憶する。
【００７０】
▲１▼呼気中アセトン濃度と血中ケトン体濃度との関連データ（Ｙ＝ｆ（Ｘ）、Ｙ：血中ケトン体濃度、Ｘ：呼気中アセトン濃度で表される。）（第１関連データ）が記憶される。
【００７１】
▲２▼予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）（第４関連データ）が記憶される。
【００７２】
特定手段１６では、次の処理をすることにより各種の特定を行う。
【００７３】
▲１▼記憶手段６に予め記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で演算した呼気中アセトン濃度を当てはめ演算することにより血中ケトン体濃度を特定する。
【００７４】
▲２▼この求めた血中ケトン体濃度（現在の血中ケトン体濃度）と、設定手段１６で設定された飲食した際の摂取カロリーと、飲食後の経過時間と、経過時間後の血中ケトン体濃度を予測する時間とをもとに、記憶手段６に予め記憶する予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）から予測時間における血中ケトン体濃度を特定する。
【００７５】
出力手段９は、表示器９ａからなり、特定手段７で特定された呼気中アセトン濃度の測定で特定された血中ケトン体濃度（現在の血中ケトン体濃度）と予測時間における血中ケトン体濃度とを表示する。
【００７６】
次に、本実施の形態における測定手順と動作例について説明する。
【００７７】
図１４に測定手順および動作を表すフローチャートを示す。
【００７８】
ステップＳ２１において、図１２に示す装置の電源スイッチ１０を入力することにより電源８が投入され、表示器の上段に０表示、下段に設定項目が表示される。
【００７９】
ステップＳ２２において、被測定は表示器９ａ下段に表示される設定項目（飲食した際の摂取カロリー、飲食後の経過時間、経過時間後の血中ケトン体濃度を予測する時間）に従って、該当する情報を設定スイッチ１８から入力することにより設定する。例えば、表示器９ａ下段には、まず、図１５（ａ）のように、摂取カロリーが表示され、設定スイッチ１８から被測定者が飲食で摂取したカロリーを数値で入力し、数値の最後の桁が入力されることにより確定する。以下確定される毎に、設定項目が図１５（ｂ）、（ｃ）と切り替わるので、同様に飲食後の経過時間と、経過時間後の血中ケトン体濃度を予測する時間とを数値で入力し確定する。
【００８０】
ステップＳ２３において、被測定者は呼気吹付部１３に息を吹き付ける。呼気は装置内部に入り込み、装置内部に配設される半導体ガスセンサー２により呼気中のアセトンが検出される。半導体センサー２は、前述したように呼気成分中のアセトンだけに高く反応するもので、アナログ信号として出力する。出力されたアナログ信号は増幅回路３で増幅され、Ａ／Ｄ変換回路４でデジタル信号に変換される。変換されたデジタル信号は、ＣＰＵ１２内の演算手段５でアセトン濃度として数値化される。
【００８１】
ステップＳ２４において、記憶手段６により予め記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で数値化されたアセトン濃度を当てはめ、血中ケトン体濃度を演算する。
【００８２】
ステップＳ２５において、ステップＳ２４で求めた血中ケトン体濃度（現在の血中ケトン体濃度）と、設定手段１６で設定された飲食した際の摂取カロリーと、飲食後の経過時間と、経過時間後の血中ケトン体濃度を予測する時間とをもとに、記憶手段６に予め記憶する予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）から予測時間における血中ケトン体濃度を特定する。
【００８３】
ステップＳ２６において、特定手段７で特定された呼気中アセトン濃度の測定で特定される血中ケトン体濃度（現在の血中ケトン体濃度）と予測時間における血中ケトン体濃度が、図１２に示すように、表示器９ａの上段と下段に表示される。
【００８４】
以上、本実施の形態によれば、飲食時からある経過時間後に測定手段で呼気中アセトン濃度を測定した場合に、測定時後の所望の予測時間における血中ケトン体濃度を特定して求めることができ、飲食の及ぼす影響を考慮した所望の予測時間における血中ケトン体濃度を予測することができる。
【００８５】
次に、血中ケトン体濃度測定装置の第４の実施の形態について説明する。本実施の形態の外観形態は、第３の実施の形態と同様であり、図１２に血中ケトン体濃度測定装置の外観図を示し、図１３はそのブロック図である。以下に、第３の実施の形態と異なる部分について説明する。
【００８６】
設定手段１６は設定スイッチ１８からなり、設定スイッチ１８によって、飲食物の種類及び量と、飲食後の経過時間と、経過時間後の血中ケトン体濃度を予測する時間とが設定される。
【００８７】
記憶手段６は、次のデータを予め記憶する。
【００８８】
▲１▼呼気中アセトン濃度と血中ケトン体濃度との関連データ（Ｙ＝ｆ（Ｘ）、Ｙ：血中ケトン体濃度、Ｘ：呼気中アセトン濃度で表される。）（第１関連データ）が記憶される。
【００８９】
▲２▼飲食物の種類及び量と、摂取カロリーとの関連データ（第５関連データ）が記憶される。図１６に抜粋した関連データを示す。
【００９０】
▲３▼予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）（第６関連データ）が記憶される。
【００９１】
特定手段７は、次の処理をすることにより各種の特定を行う。
【００９２】
▲１▼記憶手段６に予め記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で演算した呼気中アセトン濃度を当てはめ演算することにより血中ケトン体濃度を特定する。
【００９３】
▲２▼記憶手段６に予め記憶する飲食物の種類及び量と、摂取カロリーとの関連データ（図１６）を参照し、設定手段で設定した飲食物の種類及び量に対応する摂取カロリーを特定する。
【００９４】
▲３▼▲１▼で特定する血中ケトン体濃度（現在の血中ケトン体濃度）と、▲２▼で特定された飲食した際の摂取カロリーと、設定手段１６で設定された飲食後の経過時間と、経過時間後の血中ケトン体濃度を予測する時間とをもとに、記憶手段６に予め記憶する予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）から予測時間における血中ケトン体濃度を特定する。
【００９５】
次に、本実施の形態における測定手順と動作例について説明する。
【００９６】
図１７に測定手順および動作を表すフローチャートを示す。
【００９７】
ステップＳ３１において、図１２に示す装置の電源スイッチ１８を入力することにより電源８が投入され、表示器９ａの上段に０表示、下段に設定項目を表示する。
【００９８】
ステップＳ３２において、被測定者は表示器９ａ下段に表示される設定項目（飲食物の種類及び量、飲食後の経過時間、経過時間後の血中ケトン体濃度を予測する時間）に従って、設定スイッチ１８から入力することにより設定する。例えば、表示器９ａ下段には、まず、図１８（ａ）のように、飲食物の種類が表示され、設定スイッチ１８の数値キーから摂取する飲食物の数値を選択入力し確定する。次に、図１８（ｂ）のように飲食物の量が表示され、設定スイッチ１８から摂取する飲食物の量を数値で入力し、数値の最後の桁が入力されることにより確定する。次に、図１８（ａ）のように表示画面が戻る。以下摂取した飲食物の種類及び量を同様に設定する。摂取した飲食物の種類及び量をすべて設定した場合には、図１８（ａ）の表示画面において設定スイッチ１８の＃キーを押すと、図１８（ｃ）のように切り替わるので、設定スイッチ１８の数値キーから飲食後の経過時間を数値で入力し、数値の最後の桁が入力されることにより確定する。次に、図１８（ｄ）のように切り替わるので、同様に経過時間後の血中ケトン体濃度を予測する時間を数値で入力し確定する。
【００９９】
ステップＳ３３とステップＳ３４とは、第３の実施の形態でのステップＳ２３とステップＳ２４と同様である。
【０１００】
ステップＳ３５において、設定手段１６で設定した飲食物の種類及び量をもとに、記憶手段６に予め記憶する飲食物の種類及び量と、摂取カロリーとの関連データから摂取カロリーを特定する。
【０１０１】
ステップＳ３６において、ステップＳ３４で求めた血中ケトン体濃度（現在の血中ケトン体濃度）と、ステップＳ３５で特定された飲食した際の摂取カロリーと、設定手段１６で設定された飲食後の経過時間と、経過時間後の血中ケトン体濃度を予測する時間とをもとに、記憶手段６に予め記憶する予測時間における血中ケトン体濃度と、呼気中アセトン濃度の測定で特定される血中ケトン体濃度と、飲食した際の摂取カロリーと、飲食後の経過時間と、経過時間後の血中ケトン体濃度を予測する時間との関連データ（Ｙｅ＝ｆ（Ｙｓ、Ｃ、Ｔｓ、Ｔｅ）、Ｙｅ：予測時間における血中ケトン体濃度、Ｙｓ：呼気中アセトン濃度の測定で特定される血中ケトン体濃度、Ｃ：飲食した際の摂取カロリー、Ｔｓ：飲食後の経過時間、Ｔｅ：経過時間後の血中ケトン体濃度を予測する時間で表される。）から予測時間における血中ケトン体濃度を特定する。
【０１０２】
ステップＳ３７において、特定手段７で特定された飲食後の呼気中アセトン濃度の測定で特定される血中ケトン体濃度（現在の血中ケトン体濃度）と予測時間における血中ケトン体濃度が、図１２に示すように、表示器９ａの上段と下段に表示される。
【０１０３】
以上、本実施の形態によれば、飲食した際の摂取カロリーを直接的に知らなくとも設定手段１６で設定した飲食物の種類および量から第５関連データを参照して摂取カロリーを求めることができ、飲食の及ぼす影響を考慮した所望の予測時間における血中ケトン体濃度を予測することができる。
【０１０４】
次に、血中ケトン体濃度測定装置の第５の実施の形態について説明する。本実施の形態の外観形態は、第３の実施の形態と同様であり、図１２に血中ケトン体濃度測定装置の外観図を示し、図１３はそのブロック図である。以下に、第３の実施の形態と異なる部分について説明する。
【０１０５】
設定手段１６は設定スイッチ１８からなり、設定スイッチ１８によって飲食した際の摂取カロリーと飲食後の経過時間とが設定される。
【０１０６】
記憶手段６は、次のデータを予め記憶する。
【０１０７】
▲１▼呼気中アセトン濃度と血中ケトン体濃度との関連データ（Ｙ＝ｆ（Ｘ）、Ｙ：血中ケトン体濃度、Ｘ：呼気中アセトン濃度で表される。）（第１関連データ）が記憶される。
【０１０８】
▲２▼補正された血中ケトン体濃度（血中における血中ケトン体濃度）と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度・Ｙｓ：呼気中アセトン濃度の測定で特定される血中ケトン体濃度、Ｃ：飲食した際の摂取カロリー、Ｔｓ：飲食後の経過時間で表される。）（第７関連データ）
特定手段７は、次の処理をすることにより各種の特定を行う。
【０１０９】
▲１▼記憶手段６に記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で演算した呼気中アセトン濃度を当てはめ演算することにより血中ケトン体濃度を特定する。
【０１１０】
▲２▼この求めた血中ケトン体濃度（飲食後の呼気中アセトン濃度の測定で特定された血中ケトン体濃度）と、設定手段１６で設定された飲食した際の摂取カロリーと、飲食後の経過時間とをもとに、記憶手段６に予め記憶する補正された血中ケトン体濃度と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度、Ｙｓ：呼気中アセトン濃度の測定で特定される血中ケトン体濃度、Ｃ：飲食した際の摂取カロリー、Ｔｓ：飲食後の経過時間で表される。）から補正された血中ケトン体濃度を特定する。
【０１１１】
出力手段９は、表示器９ａからなり、特定手段７で特定された呼気中アセトン濃度の測定で特定された血中ケトン体濃度と補正された血中ケトン体濃度とを表示する。
【０１１２】
次に、本実施の形態における測定手順と動作例について説明する。
【０１１３】
図１９に測定手順および動作を表すフローチャートを示す。
【０１１４】
ステップＳ４１において、図１２の装置の電源スイッチ１０を入力することにより電源８が投入され、表示器９ａの上段に０表示、下段に設定項目が表示される。
【０１１５】
ステップＳ４２において、被測定者は表示器９ａ下段に表示される設定項目（飲食した際の摂取カロリー、飲食後の経過時間）に従って、設定スイッチ１８から入力することにより設定する。例えば、表示器９ａ下段には、まず、図１５（ａ）のように、摂取カロリーが表示され、設定スイッチ１８から被測定者が飲食で摂取したカロリーを数値で入力し、数値の最後の桁が入力されることにより確定する。次に、設定項目が図１５（ｂ）のように切り替わるので、同様に飲食後の経過時間を数値で入力し確定する。
【０１１６】
ステップＳ４３とステップＳ４４とは、第３の実施形態でのステップＳ２３とステップＳ２４と同様である。
【０１１７】
ステップＳ４５において、ステップＳ４４で求めた血中ケトン体濃度と、設定手段１６で設定された飲食した際の摂取カロリーと、飲食後の経過時間とをもとに、記憶手段６に予め記憶する補正された血中ケトン体濃度と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度、Ｙｓ：呼気中アセトン濃度の測定で特定される血中ケトン体濃度、Ｃ：飲食した際の摂取カロリー、Ｔｓ：飲食後の経過時間で表される。）から補正された血中ケトン体濃度を特定する。
【０１１８】
ステップＳ４６において、特定手段７で特定された呼気中アセトン濃度の測定で特定される血中ケトン体濃度と補正された血中ケトン体濃度は、表示器９ａの上段と下段に表示される。
【０１１９】
以上、本実施の形態によれば、飲食時からある経過時間後に測定手段で呼気中アセトン濃度を測定した場合に、飲食の及ぼす影響を考慮して補正されるべき血中ケトン体濃度を求めるができる。
【０１２０】
次に、血中ケトン体濃度測定装置の第６の実施の形態について説明する。本実施の形態の外観形態は、第３の実施の形態あるいは第５の実施の形態と同様であり、図１２に血中ケトン体濃度測定装置の外観図を示し、図１３はそのブロック図である。以下に、第５の実施の形態と異なる部分について説明する。
【０１２１】
設定手段１６は設定スイッチ１８からなり、設定スイッチ１８によって飲食物の種類及び量と、飲食後の経過時間とが設定される。
【０１２２】
記憶手段６は、次のデータを予め記憶する。
【０１２３】
▲１▼呼気中アセトン濃度と血中ケトン体濃度との関連データ（Ｙ＝ｆ（Ｘ）、Ｙ：血中ケトン体濃度、Ｘ：呼気中アセトン濃度で表される。）（第１関連データ）が記憶される。
【０１２４】
▲２▼飲食物の種類及び量と、摂取カロリーとの関連データ（第５関連データ）が記憶される。図１６に抜粋した関連データを示す。
【０１２５】
▲３▼補正された血中ケトン体濃度と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度、Ｙｓ：呼気中アセトン濃度の測定で特定される血中ケトン体濃度、Ｃ：飲食した際の摂取カロリー、Ｔｓ：飲食後の経過時間で表される。）（第８関連データ）が記憶される。
【０１２６】
特定手段７は、次の処理をすることにより各種の特定を行う。
【０１２７】
▲１▼記憶手段６に記憶する呼気中アセトン濃度と血中ケトン体濃度との相関式（Ｙ＝ｆ（Ｘ）、Ｙ：血中ケトン体濃度、Ｘ：呼気中アセトン濃度で表される。）に演算手段５で演算した呼気中アセトン濃度を当てはめ演算することにより血中ケトン体濃度を特定する。
【０１２８】
▲２▼記憶手段６に予め記憶する飲食物の種類及び量と、摂取カロリーとの関連データを参照し、設定手段１６で設定した飲食物の種類及び量に対応する摂取カロリーを特定する。
【０１２９】
▲３▼▲１▼で特定された血中ケトン体濃度と、▲２▼で特定された飲食した際の摂取カロリーと、設定手段１６で設定された飲食後の経過時間とをもとに、記憶手段６に予め記憶する補正された血中ケトン体濃度と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度、Ｙｓ：呼気中アセトン濃度の測定で特定される血中ケトン体濃度、Ｃ：飲食した際の摂取カロリー、Ｔｓ：飲食後の経過時間で表される。）から補正された血中ケトン体濃度を特定する。
【０１３０】
次に、本実施の形態における測定手順と動作例について説明する。
【０１３１】
図２０に測定手順および動作を表すフローチャートを示す。
【０１３２】
ステップＳ５１において、図１２に示す装置の電源スイッチ１０を入力することにより電源８が投入され、表示器９ａの上段に０表示、下段に設定項目が表示される。
【０１３３】
ステップＳ５２において、被測定者は表示器９ａ下段に表示される設定項目（飲食物の種類及び量、飲食後の経過時間）に従って、設定スイッチ１８から入力することにより設定する。例えば、表示器９ａ下段には、まず、図１８（ａ）のように、飲食物の種類が表示され、設定スイッチ１８の数値キーから摂取した飲食物の数値を選択入力し確定する。次に、図１８（ｂ）のように飲食物の量が表示され、設定スイッチ１８から摂取する飲食物の量を数値で入力し、数値の最後の桁が入力されることにより確定する。次に、図１８（ａ）のように表示画面が戻る。以下摂取した飲食物の種類及び量を同様に設定する。摂取した飲食物の種類及び量をすべて設定した場合には、図１８（ａ）の表示画面において設定スイッチ１８の＃キーを押すと、図１８（ｃ）の表示画面に切り替わるので、設定スイッチ１８の数値キーから飲食後の経過時間を数値で入力し、数値の最後の桁が入力されることにより確定する。
【０１３４】
ステップＳ５３とステップＳ５４とは、第３の実施形態でのステヅプＳ２３とステップＳ２４と同様である。
【０１３５】
ステップＳ５５において、設定手段１６で設定した飲食物の種類及び量をもとに、記憶手段６に記憶する飲食物の種類及び量と、摂取カロリーとの図１６に示す関連データから摂取カロリーを特定する。
【０１３６】
ステップＳ５６において、ステップＳ３４で求めた血中ケトン体濃度と、ステップＳ３５で特定された飲食した際の摂取カロリーと、設定手段１６で設定された飲食後の経過時間とをもとに、記憶手段６に予め記憶する補正された血中ケトン体濃度と、呼気中アセトン濃度の測定で特定される血中ケトン体濃度と、飲食した際の摂取カロリーと、飲食後の経過時間との関連データ（Ｙｒ＝ｆ（Ｙｓ、Ｃ、Ｔｓ）、Ｙｒ：補正された血中ケトン体濃度、Ｙｓ：呼気中アセトン濃度の測定で特定される血中ケトン体濃度、Ｃ：飲食した際の摂取カロリー、Ｔｓ：飲食後の経過時間で表される。）から補正された血中ケトン体濃度を特定する。
【０１３７】
ステヅプＳ５７において、特定手段７で特定された呼気中アセトン濃度の測定で特定される血中ケトン体濃度と補正された血中ケトン体濃度は、表示器９ａ上段と下段に表示される。
【０１３８】
以上、本実施の形態によれば、飲食した際の摂取カロリーを直接的に知らなくとも設定手段１６で設定した飲食物の種類および量から第５関連データを参照して摂取カロリーを求めることができ、飲食の及ぼす影響を考慮して補正されるべき血中ケトン体濃度を求めるができる。
【０１３９】
なお、上述の第１乃至第６の実施形態において、呼気吹付部１３は、図２１に示すように、筐体１の外部から内部にかけて呼気入口部３０ａと呼気出口部３０ｂを有する管３０を備え、呼気出口部３０ｂは、測定手段１１の筐体１内部に配設される半導体ガスセンサー２に呼気を吹きつけることが可能な近傍位置に配設されるものであってもよい。呼気入口部３０ａは、図２１（ａ）のようにストロー口のようにその部分に呼気を吹き込むタイプでもよく、図２１（ｂ）のようにマスク口のように呼気を集めることが可能なタイプでもよい。
【０１４０】
【発明の効果】
以上説明したように、本発明の構成によれば、手軽に血中ケトン体濃度を求めることができ、有益な健康情報を供給可能な呼気中アセトン検出装置を提供することができる。
【図面の簡単な説明】
【図１】本発明に係る血中ケトン体濃度測定装置の外観を示す図。
【図２】本発明に係る血中ケトン体濃度測定装置のブロック図。
【図３】装置の測定手順および動作を示すフローチャート。
【図４】呼気中アセトン濃度と血中ケトン体濃度との間の相関関係を示す対応表。
【図５】血中ケトン体濃度測定装置の他の実施形態の外観を示す図。
【図６】図５に対応するブロック図。
【図７】疾病の分類ごとにつくられた２つの呼気中アセトン濃度と血中ケトン体濃度との相関式を示す図。
【図８】投薬予定時間（行動規定時間）と投薬情報（疾病の分類、薬の服用の有無、薬の種類、薬の用量および薬の効き目の速さ）との間の関連データを示す図。
【図９】呼気中アセトン濃度と、投薬予定時間と、投薬情報（疾病の分類、薬の服用の有無、薬の種類、薬の用量および薬の効き目の速さ）との間の関連データを示す図。
【図１０】装置の測定手順および動作を示すフローチャート。
【図１１】表示器に示される各種の設定項目の選択画面を示す図。
【図１２】血中ケトン体濃度測定装置の他の例を外観を示す図。
【図１３】図１２に対応するブロック図。
【図１４】装置の測定手順および動作を示すフローチャート。
【図１５】表示器に示される各種の設定項目の選択画面を示す図。
【図１６】飲食物の種類及び量と、摂取カロリーとの間の関連データを示す図。
【図１７】装置の測定手順および動作を示すフローチャート。
【図１８】表示器に示される各種の設定項目の選択画面を示す図。
【図１９】装置の測定手順および動作を示すフローチャート。
【図２０】装置の測定手順および動作を示すフローチャート。
【図２１】血中ケトン体濃度測定装置の呼気入口部と呼気出口部を有する管を示す図（ａ）と他の管の例を示す図（ｂ）。
【符号の説明】
１  筐体
２  半導体ガスセンサー
３  増幅回路
４  Ａ／Ｄ変換回路
５  演算手段
６  記憶手段
７  特定手段
８  電池
９  出力手段
１１  測定手段
１２  ＣＰＵ
１３  呼気吹付部
１５  タイマー
１６  設定手段
１８  設定スイッチ
２１  呼気検出部
２２  装置本体部
【図１】
0003822076.tif 000002
【図２】
0003822076.tif 000003
【図３】
0003822076.tif 000004
【図４】
0003822076.tif 000005
【図５】
0003822076.tif 000006
【図６】
0003822076.tif 000007
【図７】
0003822076.tif 000008
【図８】
0003822076.tif 000009
【図９】
0003822076.tif 000010
【図１０】
0003822076.tif 000011
【図１１】
0003822076.tif 000012
【図１２】
0003822076.tif 000013
【図１３】
0003822076.tif 000014
【図１４】
0003822076.tif 000015
【図１５】
0003822076.tif 000016
【図１６】
0003822076.tif 000017
【図１７】
0003822076.tif 000018
【図１８】
0003822076.tif 000019
【図１９】
0003822076.tif 000020
【図２０】
0003822076.tif 000021
【図２１】
0003822076.tif 000022